(57)【要約】【課題】  子供から遠隔の位置にいる保護者が、子供の子機端末と保護者の親機端末との間で行われる情報通信を通じて子供の現在の状況をリアルタイムで随時把握可能にする。【解決手段】  保護者が親機端末３の認証を要求するため、所定の認証データを親機端末３に入力すると、該認証データは基地局９、携帯電話網１７を通じて会社サーバ１５へ送信される（ステップＳ６１）。該認証データと、親機端末３を認証するための登録データファイル５３ａ中の基準データとが会社サーバ１５で比較されて、認証判断が実行される（ステップＳ６２）。保護者が親機端末３側から子機端末１を遠隔操作するため、子機操作部３１のキー群を操作すると、子機端末１に所望の動作を行わせるための指令信号が、親機端末３から会社設備１３へ送信され、会社設備１３に一時的に保持される（ステップＳ６３）。【選択図】        図６
2005064885.tif 000002
【特許請求の範囲】
【請求項１】
ネットワークを通じた情報通信、及び携帯が可能であって、
親機端末からの遠隔制御信号に基づいて指定された種類の情報を自動的に取得する情報取得手段と、
前記情報取得手段によって取得された情報を、略リアルタイムで前記親機端末へ送信する送信手段と、
を備える子機端末。
【請求項２】
請求項１記載の子機端末において、
前記指定された種類の情報の自動的な取得には、撮影動作及び／又は集音動作及び／又は現在位置検出動作が含まれる子機端末。
【請求項３】
ネットワークを通じた情報通信、及び携帯が可能な親機端末であって、
遠隔の位置にいる子機端末に対し、該子機端末周辺の所定種類の情報の取得と、取得した前記所定種類の情報の該親機端末への送信とを指示した遠隔制御信号を生成して前記子機端末へ送信する送信手段を備える親機端末。
【請求項４】
請求項３記載の親機端末において、
前記送信手段が、前記遠隔制御信号に代えて又は加えてメッセージの発声音又は警告音に係る音響情報を、前記子機端末へ送信する親機端末。
【請求項５】
ネットワークを通じて互いに情報通信を行う携帯可能な親機端末及び子機端末の少なくとも一方を備え、
前記親機端末が、
遠隔の位置にいる前記子機端末に対し、前記子機端末周辺の所定種類の情報の取得と、取得した前記所定種類の情報の親機端末への送信とを指示した遠隔制御信号を生成して前記子機端末へ送信する送信手段を有し、
前記子機端末が、
前記親機端末からの前記遠隔制御信号に基づいて指定された種類の情報を自動的に取得する情報取得手段と、
前記情報取得手段によって取得された情報を、略リアルタイムで前記親機端末へ送信する送信手段と、
を有する遠隔監視システム。
【請求項６】
請求項５記載の遠隔制御システムにおいて、
前記所定種類の情報の取得には、撮影動作及び／又は集音動作及び／又は現在位置検出動作が含まれる遠隔制御システム。
【請求項７】
ネットワークを通じて互いに情報通信を行う携帯可能な親機端末及び子機端末の少なくとも一方を備え、
前記親機端末が、
遠隔の位置にいる前記子機端末に対し、メッセージの発声音又は警告音に係る音響情報を送信する送信手段を有し、
前記子機端末が、
前記親機端末からのメッセージの発声音又は警告音に係る音響情報に基づいて、自動的に音響を出力する音響出力手段を有する遠隔監視システム。
【請求項８】
請求項５記載の遠隔監視システムにおいて、
前記子機端末が、
前記子機端末を起動する必要性のある事象が発生した場合にのみ、前記子機端末の駆動電源のオン／オフを制御する駆動電源制御手段を更に有する遠隔監視システム。
【請求項９】
請求項５記載の遠隔監視システムにおいて、
前記子機端末が、
前記子機端末の携帯者に何らかの異変が生じた場合に、該異変を検知して前記親機端末へ通知する異変通知手段を更に有する遠隔監視システム。
【請求項１０】
請求項５記載の遠隔監視システムにおいて、
前記親機端末が、
前記子機端末に対して所定の音響情報を送信することによって、前記子機端末に、緊急時である旨の所定の報知動作を行わせるように制御する手段を更に有する遠隔監視システム。
【請求項１１】
請求項５乃至請求項１０のいずれか１項記載の遠隔監視システムにおいて、
前記ネットワークを通じて前記親機端末及び前記子機端末との間での情報通信が可能な情報管理用サーバを更に備える遠隔監視システム。
【請求項１２】
請求項５乃至請求項１１のいずれか１項記載の遠隔監視システムにおいて、
前記ネットワークを通じて前記親機端末、前記子機端末及び前記情報管理用サーバとの間での情報通信が可能な、前記親機端末、前記子機端末及び前記情報管理用サーバの認証処理を行うための認証用サーバを更に備える遠隔監視システム。
【請求項１３】
請求項５乃至請求項１２のいずれか１項記載の遠隔監視システムにおいて、
前記認証用サーバによる前記子機端末の認証が不成功であった場合には、前記子機端末からの前記親機端末への情報送信が抑制される遠隔監視システム。
【請求項１４】
請求項５乃至請求項１３のいずれか１項記載の遠隔監視システムにおいて、
前記認証用サーバによる前記子機端末の認証が不成功であった場合には、前記子機端末から前記親機端末へ子機端末の認証が不成功である旨を示すアラーム情報を送信するようにした遠隔監視システム。
【請求項１５】
請求項５乃至請求項１４のいずれか１項記載の遠隔監視システムにおいて、
前記子機端末が、
前記認証用サーバによる前記子機端末の認証を要求するための認証要求手段を更に有し、
前記認証要求手段が、該子機端末の携帯者の暗証番号データ入力等の操作手順で判定するための操作入力手段、又は前記認証用サーバに予め登録済の該子機端末の携帯者の指紋データ等の保有者の生体情報を入力する手段を含む遠隔監視システム。
【請求項１６】
請求項５乃至請求項１５のいずれか１項記載の遠隔監視システムにおいて、
前記情報管理用サーバが、前記認証用サーバによる前記子機端末の認証が不成功だった場合には、前記子機端末の携帯者を不審者であると判断するようにした遠隔監視システム。
【請求項１７】
請求項５乃至請求項１５のいずれか１項記載の遠隔監視システムにおいて、
前記情報管理用サーバが、前記認証用サーバによる前記親機端末の認証が不成功だった場合には、前記親機端末の携帯者を不審者であると判断するようにした遠隔監視システム。
【請求項１８】
請求項５乃至請求項１７のいずれか１項記載の遠隔監視システムにおいて、
前記認証用サーバによる前記子機端末及び／又は前記親機端末の認証が不成功だった場合には、前記情報管理用サーバが、前記認証が不成功だった端末から送信される情報を蓄積するようにした遠隔監視システム。
【請求項１９】
請求項５乃至請求項１８のいずれか１項記載の遠隔監視システムにおいて、
前記認証用サーバによる前記子機端末及び前記親機端末の認証が成功だった場合には、前記子機端末から前記親機端末へ送信される情報を、前記情報管理用サーバへは送信しないようにした遠隔監視システム。
【請求項２０】
請求項５乃至請求項１８のいずれか１項記載の遠隔監視システムにおいて、
前記情報管理用サーバが、前記親機端末からの承諾の通知を得て、前記子機端末から情報の収集を行えるようにした遠隔監視システム。
【発明の詳細な説明】
【技術分野】
【０００１】
本発明は、ネットワークを通じて互いに情報通信を行う携帯可能な親機端末及び子機端末を備える遠隔監視システムに関する。
【背景技術】
【０００２】
従来、保育園等の託児施設内における子供の動画像データを、リアルタイムで各家庭に配信でき、且つ、ネットワークインフラの効率的使用及びコスト低減を図った子供確認監視システムが提案されている。このシステムでは、制御管理サーバから送信された子供の状態を示す動画像データが、複数のルータで中継されて、各ルータから各家庭内のパソコン端末へ配信されるようになっている（例えば特許文献１参照）。
【０００３】
また、上記とは別に、ユーザ自身が通報操作不能でも緊急通報を発することができ、並行してＧＰＳ現在位置情報の送受が可能な携帯用緊急通報装置が提案されている。この装置では、緊急通報ボックスがワンタッチオン操作で緊急対処動作を開始すると、携帯電話機がセンターへの自動呼出しと通報とを行うべく動作すると共に、ユーザが異常な状態になった場合に、報知手段がその旨をユ−ザの周囲へ報知すべく所定の動作を実行するようになっている（例えば特許文献２参照）。
【０００４】
更に、上記とは別に、画像表示手段付携帯電話機を用いて必要に応じて何時でも遠方より屋内の監視を可能にした安価で操作が容易な携帯電話機による遠方用監視システムが提案されている。このシステムでは、携帯電話機の制御用操作器を使用して、家庭内に配置されている監視カメラを遠隔操作することにより家屋内部を撮影し、撮影した画像情報を監視カメラから携帯電話機に伝送させて、携帯電話機の画像表示手段に表示させるようになっている（例えば特許文献３参照）。
【０００５】
【特許文献１】特開2002-026904号公報
【特許文献２】特開2000-251177号公報
【特許文献３】特開2001-292442号公報
【発明の開示】
【発明が解決しようとする課題】
【０００６】
ところで、近年、各方面における女性の社会進出は目覚しく、それに伴って共働き夫婦も増加の一途を辿っており、そのため、一日のうちで子供が最も活動する時間帯である日中において、自分の子供と接触できる時間が殆ど持てない母親も増加している。これらの子供達が例えば学校とか保育園や幼稚園等の施設内にいる場合には、教師や保育士等の責任のある大人の監視下にあるからさほど心配する必要はないかも知れない。
【０００７】
しかし、子供がこれらの施設外に出た場合や、或いは自宅で親の帰宅を待っていた子供が戸外に出たような場合には、親（保護者）の監視の目が届かないのは元よりのこと、責任のある大人の監視の目も届かない状態に子供が置かれることになり、子供がどこで何をしているのかを把握することは極めて困難になる。その結果として子供が不慮の事故に遭遇したり、犯罪等の事件に巻き込まれたりする虞が生じる。しかも、昨今では、凶悪犯罪の増加による治安の悪化が社会不安の増大を招来しており、子供を取り巻く社会環境の悪化が年々ひどくなってきているので、両親等の保護者や責任のある大人の監視の目の届かない所で、子供が凶悪犯罪に巻き込まれるケースが増加している。
【０００８】
更に、近年においては、幼い子供が本来保護者であるべき筈の両親等から酷い虐待を受けて負傷したり、ときによっては死に至るようなケース（所謂乳幼児の虐待）も生じている。よって、今後は保護者等の監視の目の届かない子供の日常生活における安全を如何にして確保するかや、保護者等による虐待から子供を如何にして護るかが重要な課題になってくるものと思料される。
【０００９】
従って本発明の目的は、親機端末の携行者が子機端末の携行者から遠隔の位置にいる場合でも、子機端末と親機端末との間の情報通信を通じて子機端末の携行者の現在の状況をリアルタイムで随時把握できる遠隔監視システムを提供することにある。
【００１０】
また、本発明の別の目的は、親機端末の携行者が子機端末の携行者から遠隔の位置にいる場合でも、子機端末と親機端末との間の情報通信を通じて親機端末の携行者が親機端末から子機端末を遠隔操作できる遠隔監視システムを提供することにある。
【００１１】
また、本発明の別の目的は、携帯型の親機端末と携帯型の子機端末とを含む遠隔監視システムにおいて、親機端末の携行者から遠隔の位置にいる子機端末の携行者の子機端末が、第三者によって不正に使用されたり、悪用されたりするのを防止できるようにすることにある。
【００１２】
更に、本発明の別の目的は、携帯型の親機端末と携帯型の子機端末とを含む遠隔監視システムにおいて、親機端末及び／又は子機端末が正当な使用者によって使用されていないことに起因する認証不能時の親機端末に係わる情報及び／又は子機端末に係わる情報の検証が後で行えるようにすることにある。
【課題を解決するための手段】
【００１３】
本発明の第１の観点に従う子機端末は、ネットワークを通じた情報通信、及び携帯が可能であって、親機端末からの遠隔制御信号に基づいて指定された種類の情報を自動的に取得する情報取得手段と、上記情報取得手段によって取得された情報を、略リアルタイムで上記親機端末へ送信する送信手段と、を備える。
【００１４】
本発明の第１の観点に係る好適な実施形態では、上記指定された種類の情報の自動的な取得には、撮影動作及び／又は集音動作及び／又は現在位置検出動作が含まれる。
【００１５】
本発明の第２の観点に従う親機端末は、ネットワークを通じた情報通信、及び携帯が可能なものであって、遠隔の位置にいる子機端末に対し、その子機端末周辺の所定種類の情報の取得と、取得した上記所定種類の情報の該親機端末への送信とを指示した遠隔制御信号を生成して上記子機端末へ送信する送信手段を備える。
【００１６】
本発明の第２の観点に係る好適な実施形態では、上記送信手段が、上記遠隔制御信号に代えて又は加えてメッセージの発声音又は警告音に係る音響情報を、上記子機端末へ送信する。
【００１７】
本発明の第３の観点に従う遠隔監視システムは、ネットワークを通じて互いに情報通信を行う携帯可能な親機端末及び子機端末の少なくとも一方を備え、上記親機端末が、遠隔の位置にいる上記子機端末に対し、上記子機端末周辺の所定種類の情報の取得と、取得した上記所定種類の情報の親機端末への送信とを指示した遠隔制御信号を生成して上記子機端末へ送信する送信手段を有し、上記子機端末が、上記親機端末からの上記遠隔制御信号に基づいて指定された種類の情報を自動的に取得する情報取得手段と、上記情報取得手段によって取得された情報を、略リアルタイムで上記親機端末へ送信する送信手段と、を有する。
【００１８】
本発明の第３の観点に係る好適な実施形態では、上記所定種類の情報の取得には、撮影動作及び／又は集音動作及び／又は現在位置検出動作が含まれる。
【００１９】
本発明の第４の観点に従う遠隔監視システムは、ネットワークを通じて互いに情報通信を行う携帯可能な親機端末及び子機端末の少なくとも一方を備え、上記親機端末が、遠隔の位置にいる上記子機端末に対し、メッセージの発声音又は警告音に係る音響情報を送信する送信手段を有し、上記子機端末が、上記親機端末からのメッセージの発声音又は警告音に係る音響情報に基づいて、自動的に音響を出力する音響出力手段を有する。
【００２０】
本発明の第３の観点に係る別の実施形態では、上記子機端末が、上記子機端末を起動する必要性のある事象が発生した場合にのみ、上記子機端末の駆動電源のオン／オフを制御する駆動電源制御手段を更に有する。
【００２１】
また、上記とは別の実施形態では、上記子機端末が、上記子機端末の携帯者に何らかの異変が生じた場合に、その異変を検知して上記親機端末へ通知する異変通知手段を更に有する。
【００２２】
また、上記とは別の実施形態では、上記親機端末が、上記子機端末に対して所定の音響情報を送信することによって、上記子機端末に、緊急時である旨の所定の報知動作を行わせるように制御する手段を更に有する。
【００２３】
また、上記とは別の実施形態では、上記ネットワークを通じて上記親機端末及び上記子機端末との間での情報通信が可能な情報管理用サーバを更に備える。
【００２４】
また、上記とは別の実施形態では、上記ネットワークを通じて上記親機端末、上記子機端末及び上記情報管理用サーバとの間での情報通信が可能な、上記親機端末、上記子機端末及び上記情報管理用サーバの認証処理を行うための認証用サーバを更に備える。
【００２５】
また、上記とは別の実施形態では、上記認証用サーバによる上記子機端末の認証が不成功であった場合には、上記子機端末からの上記親機端末への情報送信が抑制される。
【００２６】
また、上記とは別の実施形態では、上記認証用サーバによる上記子機端末の認証が不成功であった場合には、上記子機端末から上記親機端末へ子機端末の認証が不成功である旨を示すアラーム情報を送信するようにしている。
【００２７】
また、上記とは別の実施形態では、上記子機端末が、上記認証用サーバによる上記子機端末の認証を要求するための認証要求手段を更に有し、上記認証要求手段が、その子機端末の携帯者の暗証番号データ入力等の操作手順で判定するための操作入力手段、又は上記認証用サーバに予め登録済のその子機端末の携帯者の指紋データ等の保有者の生体情報を入力する手段を含む。
【００２８】
また、上記とは別の実施形態では、上記情報管理用サーバが、上記認証用サーバによる上記子機端末の認証が不成功だった場合には、上記子機端末の携帯者を不審者であると判断するようにしている。
【００２９】
また、上記とは別の実施形態では、上記情報管理用サーバが、上記認証用サーバによる上記親機端末の認証が不成功だった場合には、上記親機端末の携帯者を不審者であると判断するようにしている。
【００３０】
また、上記とは別の実施形態では、上記認証用サーバによる上記子機端末及び／又は上記親機端末の認証が不成功だった場合には、上記情報管理用サーバが、上記認証が不成功だった端末から送信される情報を蓄積するようにしている。
【００３１】
また、上記とは別の実施形態では、上記認証用サーバによる上記子機端末及び上記親機端末の認証が成功だった場合には、上記子機端末から上記親機端末へ送信される情報を、上記情報管理用サーバへは送信しないようにしている。
【００３２】
更に、、上記とは別の実施形態では、上記情報管理用サーバが、上記親機端末からの承諾の通知を得て、上記子機端末から情報の収集を行えるようにしている。
【発明の効果】
【００３３】
以上説明したように、本発明によれば、親機端末の携行者が遠隔の位置にいる子機端末の携行者の状況を容易に把握することが可能で、且つ、親機端末から子機端末を遠隔操作することが容易な遠隔監視システムを提供することができる。
【発明を実施するための最良の形態】
【００３４】
以下、本発明を実施するための最良の形態を、図面により詳細に説明する。
【００３５】
図１は、本発明の一実施形態に係る遠隔監視システムの全体構成を示すブロック図である。
【００３６】
上記遠隔監視システムは、図示のように、子機端末１と、親機端末３と、オーソリティ機関サーバ（以下、「機関サーバ」という）５と、複数の基地局７、９、１１と、電話会社設備（以下、「会社設備」という）１３と、認証管理会社サーバ（以下、「会社サーバ」という）１５と、携帯電話網１７と、専用回線１９とを備える。
【００３７】
本実施形態では、子機端末１及び親機端末３には、後に詳述するように、少なくとも撮影機能及び画像表示機能を持つ携帯電話機が用いられる。実際のシステムでは、子機端末（１）及び親機端末（３）は共に多数設置されており、各々の親機端末（３）と各々の子機端末（１）とは、１台の親機端末（３）と少なくとも１台以上の子機端末（１）とを一組とする複数の組に分けられているが、本実施形態では、図示と説明の都合上、図１には子機端末、及び親機端末の双方共１台ずつ記載することにした。
【００３８】
また、基地局についても、実際のシステムでは、１つのサービスエリアが所定の半径を持つ多数の小ゾーンによって分割されていて、各々の小ゾーンをカバーずべく各々の小ゾーン毎に設置されているが、本実施形態では、図示と説明の都合上、図１には基地局として符号７、９、１１で示した３つだけを記載することにした。
【００３９】
子機端末１は、子供が携帯し、且つ、操作するのに適した簡易な構成のもので、携帯電話機固有の機能である通話機能を備えているのは勿論、音声入／出力部と、映像入／出力部と、操作入力部と、認証入力部と、例えばＧＰＳ（グローバル・ポジショニング・システム）等を利用した位置検出部と、を備えている。音声入／出力部は、例えば小型マイクロフォン（以下、「小型マイク」という）及び小型スピーカであり、映像入／出力部は、上述した撮影機能及び画像表示機能に対応するもので、例えば小型のディジタルスチルカメラ（又は小型のディジタルビデオカメラ）及び小型の液晶ディスプレイである。また、操作入力部は、ユーザ（子供）が子機端末１に所望の動作を実行させるための各種の指令を入力するに際して押圧操作するキー群を有するものである。更に、認証入力部は、子機端末１の使用者（本実施形態では、子供）が所定の認証データ（例えば暗証番号データや、予め上記会社サーバ１５に登録済の子供の指紋データなど）を入力することにより、会社サーバ１５に対し子機端末１の正当な使用である旨の認証を要求するに際して使用されるものである。
【００４０】
親機端末３には、通常の携帯電話機が用いられており、親機端末３も、子機端末１と同様に、携帯電話機固有の機能である通話機能を備えているのは勿論、音声入／出力部として、例えば小型マイク及び小型スピーカを、映像入／出力部として、例えば小型のディジタルスチルカメラ（又は小型のディジタルビデオカメラ）及び小型の液晶ディスプレイを、夫々備えていると共に、操作入力部と、認証入力部と、例えばＧＰＳ等を利用した位置検出部と、情報蓄積部とを備えている。ここで、操作入力部は、ユーザである母親等の保護者が親機端末３に所望の動作を実行させるための各種の指令を入力するに際して押圧操作するキー群を有しているのみならず、子機端末１を遠隔操作して例えば子機端末１の駆動電源をオン／オフさせるなどの、子機端末１に所望の動作を実行させるためのキー群をも有している。認証入力部は、親機端末３のユーザである母親等の保護者が、所定の認証データ（例えばパスワードや、予め上記会社サーバ１５に登録済の保護者の指紋データ、機械的に読込んだ保護者の虹彩の色判別の結果など）を入力することにより、会社サーバ１５に対し親機端末３の正当な使用である旨の認証を要求するに際して使用されるものである。情報蓄積部には、親機端末３自身の情報は勿論、基地局７、携帯電話網１７、及び基地局９を通じて子機端末１から送信される情報をも蓄積するために、所定の記憶容量を持ったメモリ（図示しな）が採用されている。
【００４１】
次に、機関サーバ５は、例えば警察署等の直接強制力による捜査権限を有する行政／司法機関内に設置されているもので、音声入／出力部として、例えば小型マイク及び小型スピーカを、映像入／出力部として、例えば小型のディジタルスチルカメラ（又は小型のディジタルビデオカメラ）及び小型の液晶ディスプレイを、夫々備えていると共に、操作入力部と、親機端末３の情報蓄積部よりも遥かに大容量の情報蓄積部（図示しない）をも備えている。操作入力部は、上記行政／司法機関（警察署等）の担当者が、機関サーバ５に所望の動作を実行させるための指令を入力するに際して押圧操作するキー群を有している。情報蓄積部には、機関サーバ５自身の情報は勿論、子機端末１側から送信される情報や、親機端末３側から送信される情報が蓄積される。そのため、機関サーバ５の情報蓄積部には、大容量の記憶領域を持ったメモリが採用されている。ここで、該情報蓄積部には、全ての子機端末１の認証デ−タ、及び全ての親機端末３の認証データが予め登録されているものとする。認証入力部は、上記行政／司法機関（警察署）が機関サーバ５を利用して子機端末１を携帯する子供についての捜査、捜索を開始するに先立ち、機関サーバ５の担当者が予め機関サーバ５に割り振られた所定の認証データを入力することにより、会社サーバ１５に対して認証を要求するに際して使用されるものである。
【００４２】
会社設備１３には、少なくとも（電話）局交換機、及び局サーバ（又は電話会社の中央管理装置）等が含まれる。会社設備１３は、携帯電話網１７、及び基地局７を通じて会社サーバ１５と子機端末１との間を、携帯電話網１７、及び基地局９を通じて会社サーバ１５と親機端末３との間を、専用回線１９、及び基地局１１を通じて会社サーバ１５と機関サーバ５との間を、夫々接続する。会社設備１３は、また、基地局７、携帯電話網１７、専用回線１９、及び基地局１１を通じて子機端末１と機関サーバ５との間を、基地局９、携帯電話網１７、専用回線１９、及び基地局１１を通じて親機端末３と機関サーバ５との間を、夫々接続する。会社設備１３は、更に、基地局７、携帯電話網１７、及び基地局９を通じて子機端末１と親機端末３との間を接続する。
【００４３】
会社サーバ１５は、会社設備１３により、基地局７、及び携帯電話網１７を通じて接続された子機端末１から送信される認証要求を受付けて、該認証要求に基づき所定の認証処理を実行する。会社サーバ１５は、また、会社設備１３により、基地局９、及び携帯電話網１７を通じて接続された親機端末３から送信される認証要求を受付けて、該認証要求に基づき所定の認証処理を実行する。この場合、会社サーバ１５は、子機端末１と親機端末３とが組になっていることの確認処理をも実行する。会社サーバ１５は、更に、会社設備１３により、基地局１１、及び専用回線１９を通じて接続された機関サーバ５から送信される認証要求を受付けて、該認証要求に基づき所定の認証処理を実行する。
【００４４】
図２は、本発明の一実施形態に係る遠隔監視システムが備える親機端末３の構成を示す機能ブロック図である。
【００４５】
親機端末３は、図示のように、受信・アラーム表示部２１と、画像表示部２３と、カメラ２５と、マイク２７と、スピーカ２９と、子機端末操作部（以下、「子機操作部」という）３１と、認証入力部３３と、親機端末操作部（以下、「親機操作部」という）３５と、を備える。
【００４６】
受信・アラーム表示部２１は、親機端末３に内蔵されているＣＰＵ等の演算処理部（図示しない）の制御下で、例えば子機端末１の使用が（正当な使用であると）認証されなかった場合に、会社設備１３により形成される通信経路である携帯電話網１７、及び基地局９を通じて会社サーバ１５から送信された所定のアラーム情報と子機端末１の現在位置を示す情報とを表示する。このアラーム情報とは、例えば子機端末１が不審者によって使用されていることを示す情報である。受信・アラーム表示部２１は、また、上記演算処理部（図示しない）の制御下で、携帯電話網１７、及び基地局９を通じて会社設備１３からの着信があった場合には、所定の着信表示を行う。
【００４７】
画像表示部２３は、親機端末３が備える画像表示機能を具現化したもので、図１にて説明した映像入／出力部のうちの映像出力部に対応しており、例えばフルカラーの小型液晶ディスプレイが採用されている。画像表示部２３には、上記演算処理部（図示しない）により、例えば実写画像や、種々のアイコンの画像や、種々のキャラクタの画像が、フルカラーの静止画又は動画として表示される。
【００４８】
カメラ２５は、親機端末３が備える撮影機能を具現化したもので、図１にて説明した映像入／出力部のうちの映像入力部に対応しており、例えば小型のディジタルスチルカメラ、或いは小型のディジタルビデオカメラが採用されている。カメラ２３は、上記演算処理部（図示しない）の制御下で、一連の撮影動作を実行する。
【００４９】
マイク２７は、図１にて説明した音声入／出力部のうちの音声入力部に対応しており、例えば集音性能の優れた小型マイクが採用されている。マイク２７は、上記演算処理部（図示しない）の制御下で、ユーザである母親等の保護者が通常の音声通話を行う場合には、送話器として機能する。
【００５０】
スピーカ２９は、図１にて説明した音声入／出力部のうちの音声出力部に対応しており、例えば小型スピーカが採用されている。スピーカ２９は、上記演算処理部（図示しない）の制御下で、ユーザである母親等の保護者が通常の音声通話を行う場合には受話器として機能する。
【００５１】
子機操作部３１は、親機端末３側から子機端末１を遠隔操作するためのもので、押圧操作することによって子機端末１に所望の動作を実行させるための所定の指令信号を出力するキー群を含んでおり、図１にて説明した操作入力部の一部を構成している。これらのキー群が操作されることによって子機操作部３１から出力される子機端末１の遠隔操作指令信号は、上記演算処理部（図示しない）の制御下で、会社設備１３により、基地局９、携帯電話網１７、及び基地局７を通じて接続された子機端末１に送信される。
【００５２】
認証入力部３３は、図１にて説明したように、親機端末３のユーザである母親等の保護者が、会社サーバ１５に対して親機端末３の正当な使用である旨の認証を要求するためのもので、所定の認証データを入力するためのキー群を含んでいる。これらのキー群が操作されることによって認証入力部４９から出力される認証データは、上記演算処理部（図示しない）の制御下で、上記通信経路を通じて会社サーバ１５に送信される。
【００５３】
親機操作部３５は、ユーザである母親等の保護者が、上記演算処理部（図示しない）の制御下で、親機端末３に所望の動作を実行させるための指令を入力するに際して押圧操作するキー群を有しており、子機操作部３１と共に、図１にて説明した操作入力部の一部を構成している。親機操作部３５は、また、親機端末３を通じて例えば別の親機端末（３）との間で通常の通話を行う場合に操作するキー群を備えている。これらのキー群が操作されることによって生成された通常コール信号は、上記演算処理部（図示しない）の制御下で、上記通信経路を通じて会社設備１３に送信され、それにより会社設備１３から別の親機端末（３）へ呼出し信号が送信されて、会社設備１３を通じて別の親機端末（３）との間での通話が可能になる。
【００５４】
図３は、本発明の一実施形態に係る遠隔監視システムが備える子機端末１の構成を示す機能ブロック図である。
【００５５】
子機端末１は、図示のように、受信・アラーム表示部３７と、画像表示部３９と、カメラ４１と、マイク４３と、スピーカ４５と、助けてコール操作部４７と、認証入力部４９と、通常コール操作部５１と、を備える。
【００５６】
助けてコール操作部４７は、例えば子供が犯罪事件に巻き込まれる等の危難に遭遇した場合のような緊急時に、親機端末３と通話するに際して操作するキー群を備えている。これらのキー群が操作されることによって生成された助けてコール信号は、子機端末１に内蔵されているＣＰＵ等の演算処理部（図示しない）の制御下で、基地局７、及び携帯電話網１７を通じて会社設備１３に送信される。そして、該子機端末１と組になっている親機端末３の使用が会社サーバ１５によって認証された場合に、会社設備１３から該親機端末３へ呼出し信号が送信されて、会社設備１３を通じて該子機端末１と該親機端末３との間での通話が可能になる。
【００５７】
通常コール操作部５１は、ユーザである子供が、子機端末１を通じて親機端末３との間で通常の通話を行う場合に操作するキー群を備えている。これらのキー群が操作されることによって生成された通常コール信号は、上記演算処理部（図示しない）の制御下で、上記通信経路を通じて会社設備１３に送信される。そして、上記と同様、該子機端末１と組になっている親機端末３の使用が会社サーバ１５によって認証された場合に、会社設備１３から該親機端末３へ呼出し信号が送信されて、会社設備１３を通じて該子機端末１と該親機端末３との間での通話が可能になる。
【００５８】
認証入力部４９は、図１にて説明したように、子機端末１のユーザである子供が、会社サーバ１５に対して子機端末１の正当な使用である旨の認証を要求するためのもので、所定の認証データを入力するためのキー群を含んでいる。これらのキー群が操作されることによって認証入力部４９から出力される認証データは、上記演算処理部（図示しない）の制御下で、上記通信経路を通じて会社サーバ１５に送信される。
【００５９】
なお、受信・アラーム表示部３７は、親機端末３側の受信・アラーム表示部２１と、画像表示部３９は、親機端末３側の画像表示部２３と、カメラ４１は、親機端末３側のカメラ２５と、マイク４３は、親機端末３側のマイク２７と、スピーカ４５は、親機端末３側のスピーカ２９と、夫々構成が同一であるので、それらの詳細な説明は省略する。
【００６０】
図４は、本発明の一実施形態に係る遠隔監視システムが備える（認証管理）会社サーバ１５内のデータファイルを示した説明図である。
【００６１】
図４に示すように、（認証管理）会社サーバ１５内のデータファイル５３には、親機端末３の使用を認証するための登録データファイル５３ａと、子機端末１の使用を認証するための登録データファイル５３ｂと、（オーソリティ）機関サーバ５の使用を認証するための登録データファイル５３ｃとが含まれている。親機端末３の使用の認証に際しては、上記登録データファイル５３ａ中の基準データと、親機端末３から認証要求と共に送信される認証データとが比較されて、両者が一致するか否かチェックされる。また、子機端末１の使用の認証に際しては、上記登録データファイル５３ｂ中の基準データと、子機端末１から認証要求と共に送信される認証データとが比較されて、両者が一致するか否かチェックされる。更に、機関サーバ５の使用の認証に際しては、上記登録データファイル５３ｃの基準データと、機関サーバ５から認証要求と共に送信される認証データとが比較されて、両者が一致するか否かチェックされる。
【００６２】
図５は、本発明の一実施形態に係る遠隔監視システムが備える（オーソリティ）機関サーバ５内のデータファイルを示した説明図である。
【００６３】
図５に示すように、機関サーバ５内のデータファイル５５には、子機端末１側から送信された情報のファイル５５ａと、不審者登録ファイル５５ｂとが含まれている。子機端末１側から送信された情報のファイル５５ａには、子機端末１の（現在）位置情報、子機端末１の周辺の風景を写した映像情報、子機端末１のユーザである子供が発した音声や、その他子供の周辺の音響等の情報、子機端末１から送信された上記情報の送信時刻を示した情報、子供に何らかの異常が発生したことを報知するアラーム情報等が含まれている。一方、不審者登録ファイル５５ｂには、子供に何らかの危害を加える虞のある人物（不審者）の顔、音声、指紋等に係わる情報が含まれている。
【００６４】
機関サーバ５は、親機端末３等を通じて子供の保護者（母親）等からの捜索願いに応じて、上記機関が捜査、捜索を行うに際して上述したデータファイル５５を適宜使用する。
【００６５】
図６、図７、図８、及び図９は、本発明の一実施形態に係る遠隔監視システムを構成する各部の処理動作を示す処理フローを示した図である。
【００６６】
図６は、上記遠隔監視システムにおいて、母親等の保護者が親機端末３を操作することにより親機端末３、及び子機端末１を通じて子供を監視するに際しての処理手順を示す。
【００６７】
図６において、まず、母親等の保護者が、会社サーバ１５に対し親機端末３の正当な使用である旨の認証を要求するため、（図２で示した）親機端末３の認証入力部３３のキー群を操作して、所定の認証データを親機端末３に入力すると、該認証データは、親機端末３から会社設備１３によって形成された通信経路である基地局９、及び携帯電話網１７を通じて会社サーバ１５へ送信される（ステップＳ６１）。会社サーバ１５は、該認証データを受信すると、該認証データと、親機端末３を認証するための登録データファイル５３ａ（図４で示した）中の基準データとを比較して、両者が一致するか否かチェックすることにより、認証判断を実行する（ステップＳ６２）。次に、母親等の保護者が、親機端末３側から子機端末１を遠隔操作するため、子機操作部３１のキー群を操作すると、該キー群操作に対応する、子機端末１に所望の動作を実行させるための指令信号が、親機端末３から上記通信経路を通じて一旦会社設備１３へ送信され、会社設備１３において一時的に保持される（ステップＳ６３）。
【００６８】
ステップＳ６２において、親機端末３の使用が会社サーバ１５によって認証された場合には、上述した子機端末１への指令信号は、会社サーバ１５から、会社設備１３によって形成された通信経路である携帯電話網１７、及び基地局７を通じて子機端末１へ送信される（ステップＳ６４）。一方、ステップＳ６２において、親機端末３が母親等の保護者によってではなく、不審者によって使用されている場合には、親機端末３から会社サーバ１５へ送信された認証データと、上記データファイル５３ａ中の基準データとは一致しないことになる。この場合、会社サーバ１５は、会社設備１３によって形成された通信経路である専用回線１９、及び基地局１１を通じて、親機端末３が不審者によって不正使用されていることを示す情報、即ち、不審情報を、機関サーバ５へ送信する（ステップＳ６５）。上記不審情報を受信すると、機関サーバ５は、会社設備１３によって形成された通信経路である基地局１１、専用回線１９、携帯電話網１７、及び基地局９を通じて、親機端末３に対し親機端末紛失確認のための問い合わせを行う（ステップＳ６６）。この場合、機関サーバ５は、会社設備１３によって形成された別の通信経路である、重要通話の接続を優先的に確保するための回線群である優先群（図示しない）を利用して、親機端末３の所有者である保護者の自宅に設置されている通常の電話機（図示しない）に対し、親機端末紛失確認のための問い合わせを行うことも勿論可能である。或いは、上記保護者の勤務先に設置されている通常の電話機（図示しない）に上記問い合わせを行うようにすることもできる。
【００６９】
次に、子供が、会社サーバ１５に対し子機端末１の正当な使用である旨の認証を要求するため、（図３で示した）子機端末１の認証入力部４９のキー群を操作して、所定の認証データを子機端末１に入力すると、該認証データは、子機端末１から会社設備１３によって形成された通信経路である基地局７、及び携帯電話網１７を通じて会社サーバ１５に送信される（ステップＳ６７）。会社サーバ１５は、該認証データを受信すると、該認証データと、子機端末１を認証するための登録データファイル５３ｂ（図４で示した）中の基準データとを比較して、両者が一致するか否かチェックすることにより、認証判断を実行する。この認証判断の結果、子機端末１の使用が認証された場合には、該子機端末１と組になっている親機端末３の使用が認証されたか否かチェックする（ステップＳ６８）。なお、ステップＳ６８において、子機端末１の使用が会社サーバ１５によって認証されなかった場合には、会社設備１３は、子機端末１からの通常コール信号に基づき、上記通信経路を通じて親機端末３に対し、呼出し信号のみを送信する。
【００７０】
次に、子機端末１から、該子機端末１自身の現在位置、子機端末１のカメラ４１が撮影した周囲の風景の映像、子機端末１を携行する子供の音声や周囲の音響等の情報が、上記通信経路を通じて会社設備１３へ送信されると、それらの情報は、会社設備１３において一時的に保持される（ステップＳ６９）。ステップＳ６８において、子機端末１の使用が認証され、且つ、該子機端末１と組になっている親機端末３の使用も認証された場合には、会社設備１３は、ステップＳ６９で一時的に保持した上記子機端末１からの位置、映像、音声等の情報の全部を、会社設備１３によって形成された通信経路である携帯電話網１７、及び基地局９を通じて親機端末３へ送信する（ステップＳ７０）。この場合、子機端末１、及び該子機端末１と組になっている親機端末３の双方共に認証されたのであるから、プライバシーの保護のため、会社設備１３は、子機端末１から送信された上記情報を機関サーバ５へは送信しない。
【００７１】
一方、ステップＳ６８において、子機端末１の使用が（正当な使用であると）認証されなかった場合には、会社設備１３は、子機端末１が不審者によって使用されていることを示す所定のアラーム情報と共に子機端末１の現在位置を示す情報を、不審情報として上記通信経路を通じて親機端末３へ送信する（ステップＳ７１）。親機端末３への不審情報の送信と並行して、会社設備１３は、上記不審情報と共に、ステップＳ６９で一時的に保持した子機端末１からの位置、映像、音声等の情報の全部を、上記通信経路を通じて機関サーバ５へ送信する（ステップＳ７２）。
【００７２】
上記不審情報、及び上記位置、映像、音声等の情報を、会社設備１３から上記通信経路を通じて受信すると、機関サ−バ５は、それらの情報を、図５に示した態様でデータベースに蓄積して管理する（ステップＳ７３）。次に、母親等の保護者から、親機端末３、及び上述した通信経路を通じて機関サーバ５に対し子供の捜索願が送信されてくると、機関サーバ５はそれを受信すると共に（ステップＳ７４）、上記通信経路を通じて親機端末３に対し、捜索を行うのに必要な情報の連絡や状況の確認を行う（ステップＳ７５）。
【００７３】
図７は、上記遠隔監視システムにおいて、子供が子機端末１を操作することにより子機端末１、及び親機端末３を通じて母親等の保護者との間で会話を行う通常会話モードに際しての処理手順を示す。
【００７４】
図７において、まず、子供が、会社サーバ１５に対し子機端末１の正当な使用である旨の認証を要求するため、（図３で示した）子機端末１の認証入力部４９のキー群を操作して、所定の認証データを子機端末１に入力すると、該認証データは、子機端末１から会社設備１３によって形成された通信経路である基地局７、及び携帯電話網１７を通じて会社サーバ１５へ送信され、会社サーバ１５によって受信される（ステップＳ８１）。次に、子機端末１から（現在）位置、映像、音声等の情報及び／又は通話要求が、上記通信経路を通じて会社設備１３へ送信されると、上記情報及び／又は通話要求は、会社設備１３によって受信される。なお、子機端末１から会社設備１３に対し通話要求のみが送信される場合には、通話要求と共に、子機端末１の（現在）位置情報も送信されることになる（ステップＳ８２）。会社サーバ１５は、子機端末１からの上記認証データと、子機端末１を認証するための登録データファイル５３ｂ（図４で示した）中の基準データとを比較して、両者が一致するか否かチェックすることにより、認証判断を実行する（ステップＳ８３）。
【００７５】
ステップＳ８３で、子機端末１の使用が会社サーバ１５によって認証されると、子機端末１からの（現在）位置、映像、音声等の情報及び／又は通話要求が、会社設備１３から上記通信経路を通じて親機端末３へ送信される。上述したように、子機端末１から通話要求のみが送信された場合には、通話要求と共に子機端末１の（現在）位置情報のみが、会社設備１３から上記通信経路を通じて親機端末３へ送信される（ステップＳ８４）。ステップＳ８３で、子機端末１の使用が会社サーバ１５によって認証されているので、会社設備１３は、上記通信経路を通じて該子機端末１と組になっている親機端末３に対し、呼出し信号を送信する。この場合、呼出し信号の音の音色や、例えば親機端末３の受信・アラーム表示部２１に配置されているＬＥＤ（図示しない）の表示色を変化させることなどによって、子機端末１の認証結果を親機端末３側に通知することも可能である（ステップＳ８５）。ステップＳ８３で、子機端末１の使用が会社サーバ１５によって認証されなかった場合でも、会社設備１３は、子機端末１からの通常コール信号に基づき、上記通信経路を通じて親機端末３に対し、呼出し信号のみを送信する。
【００７６】
次に、母親等の保護者が、（図２で示した）親機操作部３５のキー群を操作することにより、会社設備１３によって形成された通信経路である基地局９、携帯電話網１７、及び基地局７を通じて親機端末３と子機端末１との間でリアルタイムでの映像情報の授受を伴った通話が開始される（ステップＳ８６）。
【００７７】
図８は、上記遠隔監視システムにおいて、緊急時に（何らかの危難に遭遇した）子供が子機端末１を操作して救援を求める場合のシステム各部の処理動作の流れを示す。
【００７８】
図８において、子供が（図３に示した）助けてコール操作部４７を操作すると、所定の救援要請信号が、子機端末１から上述した通信経路を通じて会社設備１３へ送信される。この場合、上記救援要請信号に対しては、会社サーバ１５による子機端末１の使用の認証を行うことなしに、会社設備１３によって受信される（ステップＳ９１）、次に、子機端末１から上述した通信経路を通じて会社設備１３へ子機端末１の（現在）位置、子機端末１の周囲の風景の映像、及び周囲の音声や音響等の情報が送信されると、会社設備１３は、これらの情報を受信して（ステップＳ９２）、上述した通信経路を通じて機関サーバ５へこれらの情報の全部を送信する（ステップＳ９３）。機関サーバ５は、上記全部の情報を受信すると、図５において符号５５ａで示した態様で上記全部の情報を蓄積し、管理する（ステップＳ９４）。
【００７９】
次に、会社設備１３は、上記通信経路を通じて該子機端末１と組になっている親機端末３に対し、上記全部の情報と共に、呼出音を送信する（ステップＳ９５）。親機端末３は、上記全部の情報を受信すると、内蔵するメモリ（図示しない）に、上記全部の情報を蓄積し、管理する。会社設備１３から親機端末３への上記情報の送信、及び上記情報の親機端末３のメモリへの蓄積は、親機端末３への呼出し信号の送信時に母親等の保護者が不在の場合であっても実行される。なお、親機端末３の内蔵メモリの容量が小さい場合には、親機端末３に蓄積される情報の種類、或いは情報の量は一定の制限を受ける（ステップＳ９６）。
【００８０】
次に、母親等の保護者が、（図２で示した）親機操作部３５のキー群を操作することにより（ステップＳ９７）、上述した通信経路を通じて親機端末３と子機端末１との間でリアルタイムでの映像情報の授受を伴った通話が開始される（ステップＳ９８）。次に、母親等の保護者から、親機端末３、及び上述した通信経路を通じて機関サーバ５に対し子供の捜索願が送信されてくると、機関サーバ５はそれを受信すると共に（ステップＳ９９）、上記通信経路を通じて親機端末３に対し、捜索を行うのに必要な情報の連絡や状況の確認を行う（ステップＳ１００）。この場合、機関サーバ５は、上述した優先群（図示しない）を利用して、上記保護者の自宅に設置されている通常の電話機（図示しない）か、或いは、上記保護者の勤務先に設置されている通常の電話機（図示しない）に上記連絡や確認を行うようにすれば、仮に、上記捜索願の送信元が上記子供の真の保護者ではなく不審者であった場合でも、捜査や捜索の過程で、捜査情報等の秘密情報が不審者側に漏洩するのを防止できる。
【００８１】
図９は、上記遠隔監視システムにおいて、（警察署等の捜査）機関の担当者が、機関サーバ５を操作することにより会社設備１３、及び会社サーバ１５を通じて子機端末１を携帯する子供の捜査（又は捜索）を行うに際しての処理手順を示す。
【００８２】
図９において、機関の担当者が、会社サーバ１５に対し機関サーバ５の使用についての認証を要求するため、機関サーバ５の認証入力部のキー群を操作して、所定の認証データを機関サーバ５に入力すると共に、機関サーバ５の操作入力部を操作して子供の捜査（又は捜索）を開始する旨の通知を機関サーバ５に入力すると、該認証データ及び該通知は、機関サーバ５から上述した通信経路を通じて会社設備１３、及び会社サーバ１５へ夫々送信される（ステップＳ１１１）。会社サーバ１５は、該認証データを受信すると、該認証データと、機関サーバ５を認証するための登録データファイル５３ｃ（図４で示した）中の基準データとを比較して、両者が一致するか否かチェックすることにより、認証判断を実行する（ステップＳ１１２）。
【００８３】
次に、ステップＳ１１２において、機関サーバ５の使用が会社サーバ１５によって認証されると、機関サーバ５から子機端末１を携帯する子供の捜査（又は捜索）を開始する旨の通知を受けた旨の報告が、会社設備１３から上述した通信経路を通じて親機端末３へ送信される（ステップＳ１１３）。親機端末３が該報告を受信したことで、母親等の保護者が、（図２で示した親機端末３の）親機操作部３５を操作することにより、親機端末３から上記報告に対して承諾する旨の通知が発せられ、該通知が上記通信経路を通じて会社設備１３へ送信される。このとき、親機端末３の使用についての認証を要求するために、所定の認証データも親機端末３から上記通信経路を通じて会社サーバ１５へ送信される（ステップＳ１１４）。
【００８４】
上記認証データに基づき、親機端末３の使用が会社サーバ１５によって認証されると（ステップＳ１１５）、親機端末３（母親等の保護者）から（警察署等の捜査）機関が子機端末１を携帯する子供の捜査（又は捜索）を開始するのを承諾する旨の通知が、会社設備１３から上述した通信経路を通じて機関サーバ５へ送信される（ステップＳ１１６）。この通知を受信すると、機関サーバ５は、上記承諾を確認すると共に（ステップＳ１１７）、子機端末１から送信される全部の情報を機関サーバ５へ送信するよう、上記通信経路を通じて会社設備１３に指示を出すと共に、所定の認証データを再度会社サーバ１５へ送信する（ステップＳ１１８）。
【００８５】
機関サーバ５からの上記指示、及び上記認証データを受信すると、会社サーバ１５は、機関サーバ５の使用について再度認証判断を行い、認証を行うと（ステップＳ１１９）、会社設備１３から子機端末１に対し、子機端末１が取得し得る全部の情報（位置、映像、音声等）を会社設備１３へ送信すべき旨の指示を、上述した通信経路を通じて送信する（ステップＳ１２０）。上記指示を受信すると、子機端末１は、子機端末１の（現在）位置、子機端末１の周囲の風景の映像、及び周囲の音声や音響等の全部の情報を、上述した通信経路を通じて会社設備１３へ送信する。これら全部の情報を受信すると、会社設備１３は、上述した通信経路を通じてこれら全部の情報を機関サーバ５へ送信する（ステップＳ１２１）。
【００８６】
機関サーバ５はそれら全部の情報を受信すると、図５において符号５５ａで示した態様で上記全部の情報を蓄積し、管理すると共に（ステップＳ１２２）、上記通信経路を通じ親機端末３に対し、捜索を行うのに必要な情報の連絡や状況の確認を行う（ステップＳ１２３）。
【００８７】
以上説明したように、本発明の一実施形態によれば、親機端末３を携行する保護者が子機端末１を携行する子供から遠隔の位置にいる場合でも、子機端末１と親機端末３との間の情報通信を通じて子供の現在の状況をリアルタイムで随時把握することができる。
【００８８】
また、本発明の一実施形態によれば、携帯型の親機端末３と携帯型の子機端末１とを含む遠隔監視システムにおいて、保護者から遠隔の位置にいる子供の携行する子機端末１が、第三者によって不正に使用されたり、悪用されたりするのを防止できるようにすることができる。即ち、本発明の一実施形態によれば、子機端末１及び親機端末３の双方の使用が、共に会社サーバ１５によって認証された場合に限って、子機端末１から親機端末３への情報の送信を可能にしたので、不審者が子機端末１及び親機端末３を入手し、密かに然るべき場所に子機端末１をセットして、子機端末１を親機端末３から遠隔操作して盗撮や盗聴を行おうとしても、子機端末１が盗撮や盗聴によって取得した情報を親機端末３を通じて入手することができないから、上記システムの不法な使用を抑制することができる。
【００８９】
また、本発明の一実施形態によれば、親機端末３を携行する保護者が子機端末１を携行する子供から遠隔の位置にいる場合でも、子機端末１と親機端末３との間の情報通信を通じて親機端末３から子機端末１を遠隔操作することができる。例えば、母親等の保護者が、親機端末３を通じて子機端末１を遠隔操作して、子機端末１から送信された映像情報や音声情報により子供が犯人に襲われようとしていることを認識した場合に、例えば「どうしたの？」などの子供へのメッセージ（話しかけ）や、所定の警報音や、犯人への威嚇音などを上記遠隔操作によって子機端末１のスピーカから出力させることで、犯人をたじろがせるなどの一定の防犯効果を期待できる。
【００９０】
更に、本発明の一実施形態によれば、携帯型の親機端末３と携帯型の子機端末１とを含む遠隔監視システムにおいて、親機端末３及び／又は子機端末１が正当な使用者によって使用されていないことに起因する認証不能時の親機端末３に係わる情報及び／又は子機端末１に係わる情報の検証が後で行えるようにすることができる。換言すれば、不審者が子機端末１を取得して不法に使用しようとしたために正当な使用であると認証されなかった場合でも、子機端末１からの各種情報が機関サーバ５に転送されて、機関サーバ５に蓄積されるので、万が一の事態が生じた場合（所謂非常時）に、オーソリティ機関が上記情報を有効に活用して、子供の捜査、捜索に迅速に着手することができる。
【００９１】
以上、本発明の好適な実施形態を説明したが、これは本発明の説明のための例示であって、本発明の範囲をこの実施形態にのみ限定する趣旨ではない。本発明は、他の種々の形態でも実施することが可能である。
【００９２】
例えば、上述した実施形態では、（オーソリティ）機関として、警察署を例に取ったが、（オーソリティ機関）は、必ずしも警察署のみに限定されるものではなく、警備会社や電話会社のような民間会社であっても良い。また、上記実施形態では、（認証管理）会社サーバ１５が、子機端末１、親機端末３、及び機関サーバ５の使用の認証を行うこととして説明したが、（認証管理）会社サーバ１５以外に、電話会社の情報サーバや業務サーバ（通信サーバ）（或いは電話会社の中央管理装置）により、子機端末１、親機端末３、及び機関サーバ５の使用の認証を行うようにしても差し支えない。なお、上記情報サーバ、又は上記業務サーバを、充分なセキュリティを確保するため、上記（オーソリティ）機関の管理下に置くようにしても良い。
【００９３】
また、会社サーバ１５による子機端末１、及び親機端末３に対する認証の有効期間については、例えば認証されてから１ヶ月以内とか、通信を行う毎とかのように自在に設定可能である。
【００９４】
更には、子機端末１の駆動電源として太陽電池、又は燃料電池を使用して、普段は省電力モードとし、子供に何らかの異常事態が生じたことを適宜なセンサにより検知して、子機端末１を起動させるようにしても良い。
【産業上の利用可能性】
【００９５】
例えば小学生以下の子供の行動や子供の置かれている状況を、遠隔の位置にいる母親等の保護者がリアルタイムで正確に把握して、子供が危難に遭遇した場合にも適切に対処可能とする監視システムに適用できる。
【図面の簡単な説明】
【００９６】
【図１】本発明の一実施形態に係る遠隔監視システムの全体構成を示すブロック図。
【図２】本発明の一実施形態に係る遠隔監視システムが備える親機端末の構成を示す機能ブロック図。
【図３】本発明の一実施形態に係る遠隔監視システムが備える子機端末の構成を示す機能ブロック図。
【図４】本発明の一実施形態に係る遠隔監視システムが備える認証管理会社サーバ内のデータファイルを示した説明図。
【図５】本発明の一実施形態に係る遠隔監視システムが備えるオーソリティ機関サーバ内のデータファイルを示した説明図。
【図６】本発明の一実施形態に係る遠隔監視システムを構成する各部の処理動作を示す処理フローを示した図。
【図７】本発明の一実施形態に係る遠隔監視システムを構成する各部の処理動作を示す処理フローを示した図。
【図８】本発明の一実施形態に係る遠隔監視システムを構成する各部の処理動作を示す処理フローを示した図。
【図９】本発明の一実施形態に係る遠隔監視システムを構成する各部の処理動作を示す処理フローを示した図。
【符号の説明】
【００９７】
１  子機端末
３  親機端末
５  オーソリティ機関サーバ（機関サーバ）
７、９、１１  基地局
１３  電話会社設備（会社設備）
１５  認証管理会社サーバ（会社サーバ）
１７  携帯電話網
１９  専用回線
２１、３７  受信・アラーム表示部
２３、３９  画像表示部
２５、４１  カメラ
２７、４３  マイクロフォン（マイク）
２９、４５  スピーカ
３１  子機端末操作部（子機操作部）
３３、４９  認証入力部
３５  親機端末操作部（親機操作部）
４７  助けてコール操作部
５１  通常コール操作部
【図１】
2005064885.tif 000003
【図２】
2005064885.tif 000004
【図３】
2005064885.tif 000005
【図４】
2005064885.tif 000006
【図５】
2005064885.tif 000007
【図６】
2005064885.tif 000008
【図７】
2005064885.tif 000009
【図８】
2005064885.tif 000010
【図９】
2005064885.tif 000011